(57)【要約】本発明は、シャトルコック自動収去装置に関し、訓練コート内に多量で散らばったシャトルコックを自動で収去するために、シャトルコックが収去誘導バーによって投入部側に捕集され、捕集されたシャトルコックを回転ロールブラシの回転弾性によって送風柱投入口に移送させる投入部と、投入されたシャトルコックは送風柱基底に装置された送風機の送風作用によってシャトルコックを送風柱内の上部に飛行上昇させる送風部と、送風作用によって上昇されたシャトルコックは円筒収去部の上部と離脱防止半球網の間の空間に飛行し、飛行されたシャトルコックは重力によって円筒状積載管に投下及び積載する円筒収去部と、積載したシャトルコックの偏重された積載を防止するために円筒収去部の下部底面に、一体型で具備された突き出された円錐型回転管に、車輪の駆動を通じて回転を伝達することで円筒収去部を回転させる回転部と、回転ロールブラシと送風機に動力を提供する電源部で構成されたことを特徴とする。  【選択図】図１
2021519674.tif 000002
【特許請求の範囲】
【請求項１】
コート内に散らばったシャトルコックをシャトルコック収去バーによって捕集して回転ロールブラシの回転弾性によって下記送風柱投入口に投入する投入部と、
前記投入されたシャトルコックを下部ケース基底に装置された送風機の送風作用によって一側面に前記送風柱投入口が形成された送風柱上部に上昇させる送風部と、
上昇飛行したシャトルコックの外部離脱を防止し、シャトルコックを円筒収去部の縁に誘導する離脱防止半球網を含む離脱防止網部と、
前記送風作用によって上昇したシャトルコックを前記送風柱まわりに具備された円筒積載管に落下及び積載する円筒収去部と、
前記円筒収去部の円筒積載管に均一にシャトルコックを落下させるために車輪の駆動によって前記円筒収去部を回転させる回転部と、
送風機に電源を供給する電源部を含むことを特徴とするバドミントンシャトルコック自動収去装置。
【請求項２】
前記投入部は、
シャトルコックを捕集するシャトルコック収去バーと、前記シャトルコック収去バーを通じて捕集されたシャトルコックを前記送風柱投入口に移送させる回転ロールブラシと、シャトルコック投入時外部離脱を防止する投入ケースと、シャトルコックが投入される送風柱投入口を含むことを特徴とする請求項１に記載のバドミントンシャトルコック自動収去装置。
【請求項３】
前記送風部は、送風機の送風作用による風の抵抗を受けて羽毛方向が上部に、コルク方向が下に向けるように方向転換を誘導する送風柱と、前記送風柱に投入されたシャトルコックの落下を防止する投入口安着網をさらに含むことを特徴とする請求項１に記載のバドミントンシャトルコック自動収去装置。
【請求項４】
前記離脱防止半球網は、
送風作用によって飛行上昇されたシャトルコックの外部離脱を防止して上昇送風された風を前記円筒収去部の縁に誘導するために内部突出部が形成されたことを特徴とする請求項１に記載のバドミントンシャトルコック自動収去装置。
【請求項５】
前記円筒収去部は、
シャトルコック積載を案内する上面に傾斜面に形成され、内側面垂直部は、円筒積載管の一部が形成され、円筒収去部内部のリフティングを誘導する円筒収去部の外部リフティング案内溝が備えられ、円筒収去部の外部円筒形状を維持する円筒収去部外部と、円筒形状の送風柱面が中央部分に備えられ、落下するシャトルコックを安着させるためのシャトルコックホルダが内部に備えられた円筒積載管と、シャトルコック積載を案内して積載されたシャトルコックを収去するために上方向にスライディングされる円筒収去部の内部を含むことを特徴とする請求項１に記載のバドミントンシャトルコック自動収去装置。
【請求項６】
前記回転部は、
前記円筒収去部に回転を伝達するために車輪回転軸と垂直に交差されるウォームとウォームギアと、回転ベルトに回転を伝達する回転板と、前記回転ベルトによって前記円筒収去部を回転させる回転管と、を含むことを特徴とする請求項１に記載のバドミントンシャトルコック自動収去装置
【発明の詳細な説明】
【技術分野】
【０００１】
本発明は、バドミントンレッスン過程で生ずる多量のシャトルコックを同時に収去して自動で積載して整列する装置を提供することにその目的がある。
【背景技術】
【０００２】
バドミントンは、大衆生活スポーツとして多くの同好人らの底辺拡大になっているが、初心者入門者や選手らの場合繰り返された訓練が続いて、その訓練過程で多量のシャトルコックが使われて、使われたシャトルコックはコート底に散らばる。バドミントンシャトルコックの特性上、いちいち手で拾って重なるように整列させるには肉体的苦情と、時間的所要を持って来るようになる。
【発明の概要】
【発明が解決しようとする課題】
【０００３】
前記のような問題点を解決しようと考案された本発明の目的は、シャトルコックをいちいち手作業で回収して整理することを、シャトルコック自動収去装置を通じて多量のシャトルコックを送風装置の送風を利用して連続的に上昇させ、上昇されたシャトルコックを円筒状積載管に積載させる装置を提供することである。
【課題を解決するための手段】
【０００４】
前記課題を解決するため、シャトルコック収去装置を訓練コート内に多量で散らばったシャトルコックを一方向に押してくれることであり、シャトルコックは収去誘導バーによって投入部側に捕集され、捕集されたシャトルコックを回転ロールブラシの回転弾性によって送風柱投入口に移送させる投入部と、投入されたシャトルコックは下部ケース基底に装置された送風機の送風作用によって、シャトルコックを送風柱内の上部に飛行上昇させる送風部と、送風作用によって上昇されたシャトルコックは、円筒収去部の上部と離脱防止半球網の間の空間に飛行し、飛行されたシャトルコックの外部離脱を防止する鉄網で構成された半球型の離脱防止半球網と、離脱防止半球網の中央上部に半球型形状で具備された離脱防止半球網の内部突出部が具備された離脱防止網部と、離脱防止網突出部によってシャトルコックは風の誘導された経路に沿って円筒収去部の上部縁に移送されたシャトルコックは、送風柱の送風影響を少なく受けて、したがって、重力によって円筒状積載管に落下及び積載整列される円筒収去部と、積載したシャトルコックの偏重された積載を防止するために、円筒収去部の下部底面に一体型で具備された突き出された円錐型回転管に回転ベルトを装着し、車輪回転軸と垂直で具備されたウォームとウォームギアは、回転板を通じて車輪の回転を回転ベルトと回転管に伝達することであり、円筒収去部を回転させる回転部と、回転ロールブラシモータと送風機に動力を提供する電源部と、で構成されたことを特徴とする。
【発明の効果】
【０００５】
前述したように本発明によるシャトルコック自動収去装置は、手作業でシャトルコックを収集した方式を押すだけで自動で収去されると共に、シャトルコックの羽毛によって生ずる飛行の特性である風の抵抗を利用して、多量のシャトルコックを連続的に積載することができて訓練過程で生ずる手作業の疲れ度を著しく減らすことができる。
【図面の簡単な説明】
【０００６】
【図１】本発明のよるバドミントンシャトルコック自動収去装置斜視図である。
【図２】本発明によるシャトルコック自動収去装置分解図である。
【図３】本発明によるシャトルコック自動収去装置の円筒収去部の部分分解図である。
【図４】本発明によるシャトルコック自動収去装置の下部回転部の部分斜視図である。
【図５】本発明によるシャトルコック自動収去装置の円筒収去部の平面斜視図である。
【図６】本発明によるシャトルコック自動収去装置底面図である。
【発明を実施するための形態】
【０００７】
本発明の具体的特徴及び構成作用による望ましい実施例を添付された図面と共に詳しく説明する。まず、各図面の構成要素に参照符号を付け加えるにおいて、等しい構成要素らに対してはたとえ他の図面上に表示されても可能な等しい符号を付与している。
【０００８】
図１は、本発明によるバドミントンシャトルコック収去装置に関する全体的構成を示す斜視図であり、
図２は、図１に示されたシャトルコック収去装置の全体分解図であり、図３は図１に示された円筒収去部の内部、外部の部分分解図であって、図４はシャトルコック収去装置の下部ケース４００内の回転装置を示す部分斜視図であり、図５は円筒収去部１００を内部、外部で分離させた部分平面斜視図であり、図６は底面図である。
【０００９】
図１乃至図２に示されたように、本発明によるシャトルコック自動収去装置の投入部は、コートに散らばったシャトルコックが投入される投入口ケース２００と、投入口ケース２００に引入されることができるように誘導するシャトルコック収去バー２０２と、シャトルコック収去バー２０２によって多量に捕集されたシャトルコックを送風柱投入口２０４に投入されるように回転させる回転ロールブラシ２０１で構成される。
【００１０】
一方、送風部は、投入されたシャトルコックを、円筒収去部１００上部に上昇させる送風機２１１と、送風作用によって上昇飛行するシャトルコックを円筒収去部１００上部に排出する送風柱６００が円筒収去部の内部１０２中央に具備される。
【００１１】
また、離脱防止網部は、送風柱６００に沿って上昇飛行したシャトルコックの外部離脱を防止するために鉄網で構成された離脱防止半球網１１５と、送風柱６００内部で上昇した空気の流れを縁に誘導するため、半球型で形状を有した離脱防止半球網の内部突出部１１７が具備される。
【００１２】
一方、円筒収去部１００は、図２、図３、図５に示されたように、円筒収去部の内部１０２と円筒収去部の外部１０１で構成される。
【００１３】
円筒収去部の内部１０２は、中央に挿入された送風柱６００を囲む円筒管が円筒収去部の内部１０２の中央に形状され、そのまわりに規則的に円筒形状を有した円筒積載管１０５が具備され、上部面は中央が低い傾斜面１０３-１の形状でシャトルコックが円筒積載管１０５に円滑に落下されるように誘導する。また、送風柱６００に沿って上昇飛行したシャトルコックを積載整列するために、複数の円筒積載管１０５内の下部には、落下したシャトルコックを安定的に安着させるためのシャトルコックホルダ１０９が具備される、すなわち、円筒積載管１０５にはじめに落下されたシャトルコックは、シャトルコックホルダ１０９にコルク部分が先ず挿入されてシャトルコックは直立した姿勢を維持し、ぞくぞく落下されたシャトルコックを順にきちんと整列されるようにして、円筒収去部の内部１０２側面柱には上部リフティングのための、円筒収去部の内部リフティング誘導バー１１８を含む。
【００１４】
また、円筒収去部の外部１０１は、円筒の形状を有して、シャトルコックの混雑を防止して円筒積載管１０５に円滑な落下を誘導するために前記円筒収去部の内部１０２の傾斜面１０３-１と連続された上部傾斜面１０３が形成され、円筒収去部の内部１０２の上部リフティングを案内するための円筒収去部の外部リフティング案内溝１１９が具備される。
【００１５】
一方、回転部は、送風柱６００を通じて上昇飛行したシャトルコックが円筒積載管１０５にある一方に偏重された積載を防止するために、図４に示されたようにウォームとウォームギア３０５、回転板３００と回転ベルト３０４で構成され、回転力の伝達を受ける回転管１１２を含んでおり、車輪３０８の駆動を利用して円筒収去部１００を回転させる。
【００１６】
一方、電源部は、回転ロールブラシモータ２０１と送風機２１１に動力を提供する電源スイッチ５０１を含むことを特徴とする。
【００１７】
前記記述された内容を土台に詳細には、図２に示されたように訓練過程で散らばったシャトルコックを収去するためにシャトルコック自動収去装置を、多量のシャトルコックが散らばった方向に押すようになれば、シャトルコックはシャトルコック収去バー２０２によって投入口側にシャトルコックは捕集されるようになる。投入部の回転ロールブラシ２０１前面に捕集されたシャトルコックは、ブラシ毛が付着されて回転モータ２１０の回転動力を得た回転ロールブラシ２０１の早い回転力で、捕集されたシャトルコックはブラシ毛の回転弾性によって投入口ケース２００を経って送風柱投入口２０４側に移送されるようになる。また、送風投入口２０４側にシャトルコックの投入を円滑にさせるために、投入口ケース２００内部はボックス型の形状を有して、これは回転ロールブラシ２０１の回転弾性によって発生されることができるシャトルコックの外部離脱を防止するためであり、投入口ケース２００内部下端の緩い傾斜面２０３は、回転ロールブラシ２０１によって移送されたシャトルコックの運びを円滑に誘導するためである。
【００１８】
前記投入されたシャトルコックは、送風柱６００下部内に具備された投入口安着網２０５の上部に安着し、安着されたシャトルコックは、下部ケース４００基底に位置した送風機２１１の送風作用によって送風柱６００下部で送風柱６００上部に上昇飛行するようになる。
【００１９】
そして、送風柱６００内で上昇飛行する過程で、シャトルコックはシャトルコックの特徴によってコルク部位は地表面側の下の方向に、羽毛部位は風の抵抗によって上方に向かうように方向が転換され、送風機２１１の送風方向に沿って直立した姿勢を維持して送風柱６００内から上部離脱防止網部１１５方向に飛行する。
【００２０】
飛行するシャトルコックは、送風方向に沿って送風柱６００外部にすり抜けて来るようになって、すり抜けて来たシャトルコックは円筒収去部１００上部、すなわち、円筒収去部１００と離脱防止半球網１１５の空間部に、コルク方向が下に向ける、直立した位置を維持しながら飛行するようになる。そして、飛行したシャトルコックの外部離脱を防止するため、離脱防止半球網１１５が円筒収去部の内部突出部１０４に装着されていて、シャトルコックは円筒収去部１００の上部面と離脱防止半球網１１５の間の空間内で飛行を維持するようにする。また、離脱防止半球網１１５の中心には下の方向で半球型形状を有した離脱防止半球網の内部突出部１１７が具備されている。すなわち、離脱防止半球網の内部突出部１１７は、送風上昇した風を円筒収去部１００の縁に誘導し、誘導された風は離脱防止半球網１１５の鉄網隙間の外部に抜け出る。これにより、風の移動方向によって移送飛行したシャトルコックは、送風柱６００の風が影響を与えない円筒収去部１００の縁円筒積載管１０５上部に飛行すると共に、弱くなった送風によって円筒積載管１０５溝に、重力によって下に落ちるようになる。よって、円筒積載管１０５の溝に抜けた最初のシャトルコックは、円筒積載管１０５内の下部に具備されたシャトルコックホルダ１０９に、安定的にシャトルコックコルク方向が下の方向に安着するようになって、ぞくぞく円筒積載管１０５溝に落下されるシャトルコック１１０は、順に積載整列されるようになる。
【００２１】
一方、円筒収去部１００は図３乃至図５に示されたように円筒収去部の外部１０１と、円筒収去部の内部１０２で分離される。
【００２２】
円筒収去部の外部１０１は、図３、図５に示されたように、上部表面部に送風によって飛行したシャトルコックの下降で円筒収去部１００と離脱防止半球網１１５の間の空間に、シャトルコックが混雑されることを防止するために上部傾斜面１０３を具備し、傾斜によってスムーズに円筒積載管１０５にシャトルコックが円滑に落下されるように誘導するためである。また、下端面の中央部には送風柱６００が円筒収去部の内部１０２に挿入されることができるように円形の通気された空間を具備し、円筒収去部の外部１０１の外壁内側には、積載されるシャトルコックの案内を誘導する半円筒状の内側壁部１０８と、円筒収去部の内部１０２のリフティング案内を提供する円筒収去部の外部リフティング案内溝１１９が具備された形状を有して、下部底面には図２に示された下部ケース突き出支持部４０１が挿入されることができる、図４に示された円筒収去部の回転支持溝１１１が円筒内部の上方向に形状され、下部ケース突き出支持部４０１と挿入結合させる。これは円筒収去部１００を支持し、円筒収去部１００回転時にスライディングされる案内機能をして、円筒収去部１００の回転を円滑にさせるために下部ケース突き出支持部４０１の上部面には、ボールベアリング４０２が配置されて回転を誘導するようになる。また、下端底面には図３に示されたように、回転板３００の回転力を伝達する回転ベルト３０４を連結することができる円錐形状の回転管１１２が、円筒収去部の外部１０１と一体で具備され、回転ベルト３０４の回転の伝達を受けて円筒収去部を回転させるようになる。
【００２３】
一方、円筒収去部の内部１０２は、図３乃至図５に示されたように円筒収去部１００を円形に等分した内部形状であり、中央の通気部分は送風柱６００が挿入されることができるように円錐管形状を成して、円筒積載管１０５の上部、すなわち、円筒積載管１０５の境界傾斜面１０３-１は上述したように、上昇飛行したシャトルコック落下時、円筒積載管１０５の上部に泊まらないで円筒積載管１０５に円滑に落下を誘導する機能をし、また、円筒積載管１０５溝に落下されることができなかったシャトルコックは、傾斜によって再び送風柱６００中心側に誘導され、送風柱６００中心側に滑って下ったシャトルコックは続く送風作用を通じて再上昇飛行しながら、円筒積載管１０５に再落下投入される目的を有する。
【００２４】
また、図１乃至図５に示されたように、円筒積載管１０５は最初結合時に円筒状で結合された形状や、円筒収去部の内部１０２と円筒収去部の外部１０１で仕分けされながら、それぞれ半円筒状の形状で分割区分され、円筒収去部の内部１０２の円筒積載管１０５は、円筒収去部の外部１０１の円筒積載管１０５-１)より円周りの範疇は広くして、側面露出口１０５-３は円筒収去部の外部１０１の円筒積載管１０５-１より狭く提供する。
【００２５】
また、円筒収去部の内部１０２の円筒積載管１０５下部には、シャトルコックホルダ１０９が一体型で構成されていて、したがって、落下されるシャトルコックがシャトルコックホルダ１０９の孔にコルク部分が先に挿入されることで、シャトルコックを規則的に積載及び整列するようになる。
【００２６】
また、図３と図５に示すように、円筒収去部の内部１０２の等分された境界側面は、円筒収去部の内部リフティング誘導バー１１８が具備され、リフティング誘導バー１１８は円筒収去部の外部リフティング案内溝１１９に沿って円筒収去部の内部１０２を上、下スライディングさせることができる。そして、円筒収去部の内部１０２上部末節には、離脱防止半球網ねじ連結溝１１４と円筒収去部の内部１０２をねじで結合させるための円筒収去部の内部突出部１０４があって、円筒収去部の内部リフティング誘導バー１１８の下部には、シャトルコックを引き出すために円筒収去部の内部１０２が上方向にリフティングされた後、円筒収去部の外部１０１に具備された円筒収去外部リフト止まり溝１０６-１に固定及び安着されることができるように、円筒収去内部１０２リフト止まり突き出ボール１０６が装置される。
【００２７】
一方、図２、図３に示したように、離脱防止網部は、円筒収去部の円筒形状に合うように離脱防止半球網１１５が、前述したように円筒収去部の内部１０２の突出部ねじ溝１１３と結合され、離脱防止半球網１１５の中央部には半球型形状の曲面でなされた離脱防止半球網の内部突出部１１７が、離脱防止半球網１１５と一体型で具備される。すなわち、送風作用によって上昇した風が、離脱防止半球網の内部突出部１１７と衝突するようになって、衝突した風は半球型曲面に沿って離脱防止半球網１１５の鉄網の間に抜け出るようになることで、風の方向に沿って飛行誘導されるシャトルコックは、円筒収去部１００と離脱防止半球網１１５の間の空間内の縁に飛行し、したがって送風作用が弱くなる送風柱６００外部に具備された円筒積載管１０５に重力で落下積載するようになる。
【００２８】
一方、積載されるシャトルコックが偏重される積載を防止するために、図２、図４に示されたように、円筒収去部１００下部に回転装置を提供する。詳細には、コートに多量の散らばったシャトルコックを収去するため、図１に示されたシャトルコック自動収去装置を、収去者が取っ手５００を取って移動し、これにより車輪３０８の回転による駆動力が生ずる。このような駆動力を利用するため、車輪回転軸３０７にはウォーム３０５とウォームギア３０６が垂直で装着されていて、車輪の回転によって生ずる駆動力は、車輪回転軸３０７とウォーム３０５とウォームギア３０６に沿って回転板３００に伝達される。伝達された回転力は回転ベルト３０４を通じて、円筒収去部の外部１０１の下部背面に位置した回転管１１２に回転力を伝達し、円筒収去部１００を回転させる。すなわち、シャトルコック収去装置の移動時に円筒収去部１００は車輪の駆動によっていつも回転をするようになって、収去時に発生することができるシャトルコックの偏重された積載を衡平があるように円筒積載管１０５に均一に落下させることに目的にある。また、図４に示されたように回転板３００の内部は鋸歯型をギアで構成され、回転板３００の回転が一方向だけに伝達されるように回転板ラチェット３０２が具備され、逆回転時に回転力が円筒収去部１００に伝達されることができないように防止する回転板止金プーリング３０３が装置されている。よって、一方向だけの回転伝達によって、シャトルコック自動収去装置を後方に押す時や、またはシャトルコック収去のために、円筒収去部の内部１０２と結合された離脱防止半球網取っ手１１６を上方向に取ってあげて定着させた後、収去者が収去者の前面部の円筒積載管１０８でシャトルコックを回収し、以後、後面部の円筒積載管１０８に積載されたシャトルコックを回収するために、反対方向にシャトルコック収去部の外部１０１を手で回しても、シャトルコック自動収去装置全体が動くことを防止しようとする目的である。
【００２９】
一方、送風部の送風柱６００下部には、図４に示されたように、投入口安着網２０５が送風柱６００内に設置されていて、図２に示されたように、投入口誘導傾斜面２０３に沿って送風柱投入口２０４に投入されたシャトルコックが、図６に示されたケース４００背面の背面送風吸入口４０３にシャトルコックが落ちることを防止し、また、シャトルコックが送風される風の影響をいつも受けることができるための位置に固定される。
【００３０】
一方、上述したシャトルコック自動収去装置の回転装置と、送風装置の安定的機能のために、図２に示されたように、下部ケース４００が用意され、下部ケース４００内部の底面には、送風柱６００下部側面に送風機２１１が固定され、回転ロールブラシモータ２１０の安着を助けるためのブラケッが固定されていて、送風機２１１と回転ロールブラシ２０１の動力を伝達するための充電バッテリー２０９が下部ケース４００内部に具備され、オンオフ(on-off)スイッチ５０１が装置された取っ手５００が下部ケース４００側面部に結合され、シャトルコック収去装置の移動と回転板３００に駆動力を提供する車輪３０８が下部ケース４００側面下部に装着されている。
【００３１】
以上のように本発明の特徴は望ましい実施例に限定されなくて、請求範囲で請求する本発明の要旨から脱しなくて、通常の知識を有した者なら本発明の特許請求範囲に記載した技術的範囲に脱しない範囲内で本発明を多様に修正または変形して実施することができる。
【００３２】
したがって、本発明の範疇はこのような多くの変形の例らを含むように記述された請求範囲によって解釈されなければならない。
【符号の説明】
【００３３】
１００  円筒収去部
１０１  円筒収去外部
１０２  円筒収去内部
１０４  円筒収去部の外部突出部
１１５  離脱防止半球網
１１７  離脱防止半球網の内部突出部
１１８  円筒収去部の内部リフティング誘導バー
１１９  円筒収去部の外部リフティング案内溝
２００  投入口ケース
２０１  回転ロールブラシ
２０４  送風柱投入口
２０５  投入口安着網
２１１  送風機
３００  回転板
３０４  回転ベルト
４００  下部ケース
４０１  下部ケース突き出支持部
４０３  底面送風吸入口
５００  取っ手
６００  送風柱
【図１】
2021519674.tif 000003
【図２】
2021519674.tif 000004
【図３】
2021519674.tif 000005
【図４】
2021519674.tif 000006
【図５】
2021519674.tif 000007
【図６】
2021519674.tif 000008
【手続補正書】
【提出日】令和2年10月13日(2020.10.13)
【手続補正１】
【補正対象書類名】特許請求の範囲
【補正対象項目名】全文
【補正方法】変更
【補正の内容】
【特許請求の範囲】
【請求項１】
コート内に散らばったシャトルコックをシャトルコック収去バーによって捕執して回転ロールブラシの回転弾性によって下記送風柱投入口に投入する投入部と、
前記投入されたシャトルコックを下部ケース基底に装置された送風機の送風作用によって一側面に前記送風柱投入口が形成された送風柱上部に上昇させる送風部と、
上昇飛行したシャトルコックの外部離脱を防止し、シャトルコックを円筒収去部の縁に誘導する離脱防止半球網を含む離脱防止網部と、
前記送風作用によって上昇したシャトルコックを前記送風柱まわりに具備された円筒積載管に落下及び積載する円筒収去部と、
前記円筒収去部の円筒積載管に均一にシャトルコックを落下させるために車輪の駆動によって前記円筒収去部を回転させる回転部と、
前記送風機に電源を供給する電源部と、を含むことを特徴とするバドミントンシャトルコック自動収去装置。
【請求項２】
前記投入部は、
シャトルコックを捕執するシャトルコック収去バーと、前記シャトルコック収去バーを通じて捕執されたシャトルコックを前記送風柱投入口に移送させる回転ロールブラシを含むことを特徴とする請求項１に記載のバドミントンシャトルコック自動収去装置。
【請求項３】
前記送風柱は、送風機の送風作用によってシャトルコックの特徴によってコルク方向が下に向けるように方向転換を誘導するものであり、
前記送風部は前記送風柱に投入されたシャトルコックの落下を防止する投入口安着網をさらに含むことを特徴とする請求項１に記載のバドミントンシャトルコック自動収去装置。
【請求項４】
前記離脱防止半球網は、
送風作用によって飛行上昇されたシャトルコックの外部離脱を防止して上昇送風された風を前記円筒収去部の縁に誘導するために内部突出部が形成されたことを特徴とする請求項１に記載のバドミントンシャトルコック自動収去装置。
【請求項５】
前記円筒収去部は、
シャトルコック積載を案内する円筒収去部の外部と、シャトルコック積載を案内して積載されたシャトルコックを収去するために上方向にスライディングされる円筒収去部の内部を含むことを特徴とする請求項１に記載のバドミントンシャトルコック自動収去装置。
【国際調査報告】
2021519674.tif 000009
2021519674.tif 000010
2021519674.tif 000011
2021519674.tif 000012